(57)【特許請求の範囲】
【請求項１】
本体枠、機構板、透明板保持枠等の被取付体と該被取付体に圧接するようにして取り付けられる遊技盤、球払出し装置、電飾基板等の取付体とを備え、前記被取付体に雄型コネクタか雌型コネクタのいずれか一方が設けられると共に前記取付体に他方が設けられ、前記被取付体に取付体を取り付けることにより前記雄型コネクタと雌型コネクタが互いに接続されるようにした遊技機であって、
前記被取付体の取付面に固定具を装着し、前記取付体の取付面に前記固定具が挿通される係止透部を貫設し、前記固定具は、前記被取付体の取付面に垂直に突設されかつ中心軸線に対して直交する面内で回動する回動軸と、前記回動軸の基端側の外周一側に設けられその表面を頂部から一側に向かって下傾する第一誘導面とした第一誘導突部と、前記回動軸の先端側の外周他側に設けられその裏面を前記第一誘導突部の第一誘導面とほぼ同じ傾斜角度で同じ方向へ下傾する第二誘導面とした第二誘導突部とを有し、前記係止透部の内周面には内側を向く係止板部を突設し、前記被取付体の取付面からの前記頂部の高さを前記雌雄型コネクタ同士が接続されるべく接触するよりも先に前記係止板部が該頂部に当接する寸法に設定してなり、前記係止透部に前記固定具を挿通し前記係止板部が前記第一誘導突部の頂部に当接した状態で前記回動軸を回動させることにより、前記係止板部が前記頂部から外れ前記第一誘導突部の第一誘導面と前記第二誘導突部の第二誘導面との間に挟まれたまま前記被取付体の取付面側へ誘導されて、前記雌雄型コネクタが接続されると共に前記被取付体に前記取付体が取り付けられるようにしたことを特徴とする遊技機。
【発明の詳細な説明】
【技術分野】
【０００１】
本発明は、互いに接続される雄型コネクタまたは雌型コネクタのいずれかを有した本体枠等の被取付体と該被取付体に取り付けられる遊技盤等の取付体とを備えてなる遊技機に関するものである。
【背景技術】
【０００２】
従来、遊技機の一種であるパチンコ機は、本体枠に遊技盤が着脱自在に取り付けられるようにしており、該遊技盤には電動入賞装置等の盤面部品が配設されている。そこで、前記本体枠に遊技盤を取り付ける場合、該遊技盤を本体枠の後側に取着した後に、別作業として電気配線接続用の雌雄型コネクタを互いに接続するようにしていた。一方、交換等のために遊技盤を取り外すときは、前記雌雄型コネクタを分離した後に本体枠から遊技盤を取り外すようにしていた。このように、点検や交換等のため本体枠に遊技盤を着脱する際には、その都度その作業とは別作業として前記雌雄型コネクタを接続または分離する作業が必要となり、これら雌雄型コネクタが複数対あると遊技盤の着脱作業が非常に煩雑になるという課題があった。
【０００３】
この問題を解決すべく、例えば次のようなパチンコ機が開発された。すなわち、該パチンコ機は、本体枠に遊技盤の一側を回動自在に軸着し、しかも、遊技盤に雄型コネクタか雌型コネクタのいずれか一方を配置固定し、本体枠には前記雌雄型コネクタのいずれか他方を配置固定してなる。そして、遊技盤を開閉して着脱する際にその動作と同時に雌雄型コネクタを接続または分離するようにして、パチンコ機のメンテナンスなどの作業が容易に行なえ作業能率も向上できるようにしている。（例えば、特許文献１参照。）。
【０００４】
【特許文献１】実公平７−２７９６１号公報（第２−３頁、図２）
【発明の開示】
【発明が解決しようとする課題】
【０００５】
しかしながら、前記特許文献１のパチンコ機にあっては、遊技盤の着脱と同時に雌雄型コネクタが接続または分離されるので、パチンコ機のメンテナンスなどの作業が容易に行なえることになるが、逆にその作業が容易に行なえるがためにその作業は乱雑になり易い。ところで、雄型コネクタと雌型コネクタには、それぞれ接続口にピン形状の複数の端子またはこれら端子が挿入される孔形状の複数の端子が列設されており、これらが少しでも位置ずれを生じていると、接続する際にピン形状の端子が孔形状の端子に挿入されずに折れ曲がってしまう危険性がある。
【０００６】
このため、例えば、遊技盤の交換作業中に遊技盤を勢いよく閉め圧接したとき、雄型コネクタ側のピン形状の端子と雌型コネクタ側の孔形状の端子とが前記のようにずれていると、雄型コネクタ側の端子の先端側が屈曲して破損してしまいその交換作業に追われるという余分な手間が増え、却ってパチンコ機のメンテナンスなどの作業に支障を生ずるといった課題がある。
【０００７】
そこで、本発明は上記課題を解決すべくなされたもので、本体枠等の被取付体に遊技盤等の取付体を圧接するようにして取り付ける際に、これらに一体に設けられる雌雄型コネクタが破損するのを防止し、その取付作業が容易に支障なく行なえるようにした遊技機を提供することを目的とするものである。
【課題を解決するための手段】
【０００８】
かかる目的を達成するため本発明の遊技機は、本体枠、機構板、透明板保持枠等の被取付体と該被取付体に圧接するようにして取り付けられる遊技盤、球払出し装置、電飾基板等の取付体とを備え、前記被取付体に雄型コネクタか雌型コネクタのいずれか一方が設けられると共に前記取付体に他方が設けられ、前記被取付体に取付体を取り付けることにより前記雄型コネクタと雌型コネクタが互いに接続されるようにした遊技機であって、前記被取付体の取付面に固定具を装着し、前記取付体の取付面に前記固定具が挿通される係止透部を貫設し、前記固定具は、前記被取付体の取付面に垂直に突設されかつ中心軸線に対して直交する面内で回動する回動軸と、前記回動軸の基端側の外周一側に設けられその表面を頂部から一側に向かって下傾する第一誘導面とした第一誘導突部と、前記回動軸の先端側の外周他側に設けられその裏面を前記第一誘導突部の第一誘導面とほぼ同じ傾斜角度で同じ方向へ下傾する第二誘導面とした第二誘導突部とを有し、前記係止透部の内周面には内側を向く係止板部を突設し、前記被取付体の取付面からの前記頂部の高さを前記雌雄型コネクタ同士が接続されるべく接触するよりも先に前記係止板部が該頂部に当接する寸法に設定してなり、前記係止透部に前記固定具を挿通し前記係止板部が前記第一誘導突部の頂部に当接した状態で前記回動軸を回動させることにより、前記係止板部が前記頂部から外れ前記第一誘導突部の第一誘導面と前記第二誘導突部の第二誘導面との間に挟まれたまま前記被取付体の取付面側へ誘導されて、前記雌雄型コネクタが接続されると共に前記被取付体に前記取付体が取り付けられるようにした。
【発明の効果】
【０００９】
本発明に係る遊技機は、本体枠等の被取付体に遊技盤等の取付体を圧接するようにして取り付けるに際し、まず雌雄コネクタ同士が接続されるべく接触するより先に取付体側の係止板部を被取付体側における回動軸の第一誘導突部の頂部に当接し、次いで回動軸を回動させることにより係止板部を第一誘導突部の第一誘導面と第二誘導突部の第二誘導面との間に挟んだまま被取付体の取付面側へ誘導するようにしている。よって、取付体を被取付体に無理なくゆっくりと圧接させることができる。これに伴い、雌雄型コネクタ同士もゆっくりと接続されるので、破損するといった危険性もほとんどなくその接続動作が安全かつ確実となり、その取付作業が容易に支障なく行なえるという効果がある。
【発明を実施するための最良の形態】
【００１０】
以下、本発明に係る遊技機の実施の形態を図面に基づき詳しく説明する。本発明は、パチンコ機、アレンジボール機、雀球機、パチスロ機、パロット（登録商標）機、スロットマシン等の遊技機に適用されるが、この内、本発明はパチンコ機に適用される場合について説明する。なお、前記パロット機とは、パチンコ球を遊技媒体としてパチスロ機の遊技が可能な遊技機である。
【００１１】
図１は本発明に係るパチンコ機の正面図、図２は同パチンコ機の背面図、図３は遊技盤を取り付けた状態の本体枠の背面斜視図、図４は遊技盤を取り外した状態の本体枠の背面斜視図である。パチンコ機Ｐは縦長長方形枠状の外枠１を有し、該外枠１の前側に一側を軸着して被取付体としての本体枠３が開閉自在に装着されている。該本体枠３には、取付体としての遊技盤２が着脱自在に取り付けられる。本体枠３は中央に方形状の窓口４が開設され額縁状に成形される。また、本体枠３の後面に遊技盤２を取り付けるための遊技盤取付枠５が一体に設けられる。
【００１２】
前記遊技盤２は縦長長方形状に成形され、その前面に内側のガイドレール６ａと外側のガイドレール６ｂとが渦巻状に敷設され、これら内・外側のガイドレール６ａ，６ｂに囲まれて遊技部２ａが成形される。該遊技部２ａには、例えばその中央に各種の情報を変動表示する表示部７ａを備えた可変表示装置７が装着され、その下方に遊技球である打球が入賞することにより前記可変表示装置７の表示部７ａの情報を変動させる始動入賞口８が装着される。更に、その下方に前記表示部７ａの表示が特定の情報（例えば、「７，７，７」）に揃ったとき開閉扉９ａを開き、一定の条件の下で一度に多くの賞球が得られる大型の入賞装置９が装着されている。
【００１３】
前記本体枠３の前面に、該本体枠３とほぼ同じ大きさからなりその一側で開閉自在に軸着される合成樹脂製の透明板保持枠１０が設けられている。該透明板保持枠１０には、遊技盤２前面の遊技部２ａに対向して円形状の窓開口１１が開設され、該窓開口１１の後面に２枚セットの透明板であるガラス板または合成樹脂板からなる透明板ユニット１２が配置され、これにより該窓開口１１を塞ぐようにしている。また、透明板保持枠１０の前面であって窓開口１１の下方に、打球発射位置（図示せず。）に供給する打球を貯留するための上球受皿１３ａが装着される。該上球受皿１３ａの下方に該上球受皿１３ａから溢れる遊技球を貯留するための下球受皿１３ｂが装着される。該下球受皿１３ｂの一側には前記打球発射位置から発射される打球の打球力を調整するための打球力調整ハンドル１４が装着される。
【００１４】
前記遊技盤取付枠５は、本体枠３の後面に一側を除き窓口４を囲うようにして一体に設けられる。そして、遊技盤取付枠５の下枠部５ａの上面に遊技盤２が乗せられて支持される。また、図４、図５に示すように遊技盤取付枠５の一側に横断面略Ｚ型に折り曲げて形成された金属板製の桟部材１５がビス１６により取着される。該桟部材１５にはその上下の二箇所に折曲片１７を成形することにより横断面コ字状の溝部１８が成形され、該各折曲片１７の内側に板バネ１９が設けられる。前記桟部材１５の奥端面に、上下三箇所に分かれてそれぞれ内側へ膨らむ突状部２０が設けられる。また、桟部材１５の外側面の上下二箇所には、後記する機構板３４を枢着するための支軸２１が突設される。
【００１５】
一方、前記本体枠３の窓口４における前記桟部材１５と対向する他側の内面に、取付面としての後面２２ａが前記桟部材１５の折曲片１７とほぼ同一面となるようにして張出板部２２が一体に突設される。該張出板部２２の後面２２ａに遊技盤２の取付面としての前面２ｂが当接することになる。そして、該張出板部２２の後面２２ａには、遊技盤２を取り付け固定するため本発明に係る固定具２４が装着される。また、その近くに位置して張出板部２２に、一対の雄型コネクタ２３ａ，２３ａが設けられる。各雄型コネクタ２３ａはその接続口が張出板部２２の後側に露出しており、該各雄型コネクタ２３ａにその後側から後記する遊技盤２側の雌型コネクタ２３ｂが接続されることになる。前記各雄型コネクタ２３ａから引き出される配線は、例えば本体枠３の前面であって遊技盤２の遊技部２ａの上方に配置された配線基板（図示せず。）に接続され、遊技の進行と共にその配線基板の前面に付設されたＬＥＤ等の発光体を発光させ電飾機能を発揮するようにしている。
【００１６】
前記固定具２４を更に詳しく説明すると、図６に示すように前記張出板部２２の後面２２ａに回動軸２４ａが垂直に突設される。該回動軸２４ａは、その中心軸線に対して直交する面内で比較的重い状態で回動するように軸着される。そして、該回動軸２４ａの基端側の外周一側に、第一誘導突部２５が一体に設けられる。該第一誘導突部２５はほぼ平面４分の１の円程度の扇形状に成形され、その表面である第一誘導面２５ａは、端縁の頂部２６から一側に向かい回動軸２４ａの外周に沿って螺旋状に下傾している。その傾斜角度は前記後面２２ａに対してほぼ１８度に設定される。ただ、この角度に限定される訳ではない。
【００１７】
また、回動軸２４ａの先端側の外周他側に、第二誘導突部２７が一体に設けられる。該第二誘導突部２７はほぼ平面半円形状に成形され、その裏面である第二誘導面２７ａは、前記第一誘導突部２５の第一誘導面２５ａとほぼ同じ角度でしかも同じ方向へ回動軸２４ａの外周に沿って螺旋状に下傾している。この場合、前記第一誘導面２５ａと第二誘導面２７ａとの間隔は遊技盤２に設けられた後記する係止板部３３の厚み寸法よりやや広く、回動軸２４ａの回動動作に伴いその間に係止板部３３が介入し得るようになっている。第二誘導突部２７の第二誘導面２７ａの終端部には前記後面２２ａと平行となる押え片部２８が連続して延設され、その裏面に遊技盤２の後面を強く押圧する突部２９が設けられる。更に、第二誘導突部２７には、固定具２４を指で回動操作するための把持板部３０が一体に設けられている。
【００１８】
前記固定具２４を本体枠３の後側から見た場合、回動軸２４ａを挟んでその一側に第一誘導突部２５が配置され、他側に第二誘導突部２７が配置され、これらを互いに投影した場合ほとんど重ならないようになっている。また、張出板部２２の後面２２ａに、回動する固定具２４を始端位置に配置しておくため第一誘導突部２５の回動動作を規制する位置決めリブ３１が設けられる。なお、固定具２４が始端位置にあるとき、位置決めリブ３１により後記する係止板部３３が第一誘導突部２５から外れないようになっている。これにより、固定具２４は後面２２ａに沿ってほぼ１８０度の間で回動することになる。
【００１９】
前記固定具２４に対応位置させて遊技盤２に、該固定具２４が挿通される程度の大きさの円形状の係止透部としての挿通孔３２が貫設される。該挿通孔３２は通常遊技部２ａの外側であって側部に開設される。そして、挿通孔３２の内周面には、内側を向きかつ遊技盤２と平行な半円形状の係止板部３３が一体に突設される。この係止板部３３は、その先端周縁が挿通孔３２に回動軸２４ａを挿通したとき該回動軸２４ａに近接する程度の大きさの半円形状に成形され、遊技盤２の前面２ｂ側では該前面２ｂよりも低く、遊技盤２の後面側では該後面と面一となるようになっている。すなわち、係止板部３３の厚みは遊技盤２の厚みよりも薄く設定されている。前記係止透部は、遊技盤２の側縁に該側縁で開口する挿通凹部を切欠いて設け、該挿通凹部の内周面に前記係止板部３３を突設するようにして構成しても良い。
【００２０】
前記本体枠３の後面に、遊技盤２の後面を覆う被取付体としての合成樹脂製の機構板３４がその一側を前記桟部材１５の上下に配設した支軸２１，２１に軸支して開閉自在に装着される。該機構板３４の中央部には前記遊技盤２の後側に突設された可変表示装置７の後側を覆うカバー部材３５が臨む開口３６が開設され、上部に遊技球を貯留する球タンク３７が配置されると共にその下方に該球タンク３７から排出される遊技球を下方へ導くタンクレール３８が配置される。また、該タンクレール３８の流下端に、カーブレール３９を介して取付体としての球払出し装置４０が配設される。該球払出し装置４０から払い出された遊技球は、該球払出し装置４０の下方に配置される球排出通路４１を介してパチンコ機Ｐの前面の上球受皿１３ａに導かれることになる。前記遊技盤取付枠５の下枠部５ａの後面には、遊技盤２を遊技盤固定枠５に取り付けたとき、該遊技盤２をしっかりと固定するための挟着具４７が軸着される。この挟着具４７は、前記下枠部５ａの後面を含む面内で回動し遊技盤２の裏面に圧接するようになっている。
【００２１】
本発明に係るパチンコ機は上記構成からなり、次に遊技盤２の取付方法について説明する。まず、図７（イ）に示すように遊技盤２に開設された挿通孔３２に固定具２４が挿通できるように該固定具２４を始端位置に設定しておく。そして、本体枠３の後側から遊技盤取付枠５に遊技盤２を配置し、遊技盤２の一側端を遊技盤取付枠５の一側端に位置する桟部材１５の溝部１８内に差し込む。このとき、遊技盤２の一側端面に設けられた上下三個所の凹窪部４２に前記溝部１８奥端部の各突状部２０が嵌り込み、しかも、板バネ１９の弾性により遊技盤２の一側端が挟着される。
【００２２】
次に、遊技盤２をその一側端を中心として他側端をパチンコ機Ｐの前側へ回動させ、遊技盤２の他側端の前面２ｂを遊技盤取付枠５の他側端の張出板部２２の後面２２ａに接近させる。これにより、図７（イ）（ロ）に示すように挿通孔３２に前記固定具２４が挿通され、挿通孔３２内の係止板部３３が第一誘導突起２５の一番高い頂部２６に当接して停止する。このとき、雄型コネクタ２３ａと雌型コネクタ２３ｂは互いに離れており接触はしていない。
【００２３】
この状態で、把持板部３０に指を掛け固定具２４を所定方向すなわち図７（イ）の矢視方向へほぼ９０度回動させる。この回動動作に伴い前記頂部２６から係止板部３３が外れ、該係止板部３３は図８（イ）（ロ）に示すように第一誘導突部２５の第一誘導面２５ａと第二誘導突部２７の第二誘導面２７ａとの間に挟まれたまま張出板部２２の後面２２ａ側へ誘導される。同時に、前記各雌型コネクタ２３ｂが各雄型コネクタ２３ａに接近する。この雌雄型コネクタ２３ａ，２３ｂの動作は、前記遊技盤２の係止板部３３が張出板部２２の後面２２ａに接近する動作と同じ速度で行なわれ、ゆっくりでありしかも正確である。
【００２４】
前記固定具２４を図８の矢視方向へ更にほぼ９０度すなわち終端位置まで回動させると、図９（イ）（ロ）に示すように遊技盤２側の係止板部３３の後面に押え片部２８の突部２９が当接し、遊技盤２を張出板部２２の後面２２ａに圧接することになる。同時に、前記各雌型コネクタ２３ｂが各雄型コネクタ２３ａに接続する。これにより、遊技盤２の取付作業が完了する。逆に、本体枠３から遊技盤２を取り外すには、前記固定具２４を図９（イ）（ロ）の状態から矢視方向に回動させ図７に示す始端位置へ戻す。これにより、第一誘導突部２５が張出板部２２と係止板部３３との間に介入し、前記と同様に係止板部３３が第一誘導突部２５の第一誘導面２５ａと第二誘導突部２７の第二誘導面２７ａとの間に挟まれたまま張出板部２２の後面２２ａと反対側へ誘導される。そして、係止板部３３が第一誘導突起２５の一番高い頂部２６に乗って停止する。この固定具２４の回動動作に伴い雌型コネクタ２３ｂが雄型コネクタ２３ａからゆっくり抜かれ、係止板部３３が第一誘導突起２５の一番高い頂部２６に乗ったときには既に互いに離れることになる。
【００２５】
このように、雌雄型コネクタ２３ａ，２３ｂ同士が接続のため接触するより先に遊技盤２側の係止板部３３が本体枠３側の回動軸２４ａの頂部２６に当接し、次いで回動軸２４ａを回動させることにより係止板部３３を第一誘導突部２５の第一誘導面２５ａと第二誘導突部２７の第二誘導面２７ａとの間に挟んだまま誘導する。よって、遊技盤２を本体枠３に無理なくゆっくりと圧接させることができる。仮に、雌雄型コネクタ２３ａ，２３ｂが互いにずれていたとしても、それら動作がゆっくりなのでその不具合はすぐに発見でき修正し易い。これにより、遊技盤２を圧接するようにして取り付ける際に、雌雄型コネクタ２３ａ，２３ｂが破損するといった危険性もほとんどなく安全かつ確実に接続できることとなり、その取付作業が容易に支障なく行なえる。遊技盤２を取り付けた後は、前記挟着具４７を遊技盤２の後面側へ回動させて、遊技盤２をしっかりと固定させる。
【００２６】
また、本発明はホールで点検・交換のため垂直に起立した遊技盤２を取り外したり取り付ける場合に効果が有るが、他に例えばパチンコ機Ｐを組み立てる際、組み立てライン上で水平に配置した遊技盤２を本体枠３に取り付けたり取り外す場合にも効果が有る。
【００２７】
本発明は、遊技盤２を取り付ける場合だけでなく取り外す場合も、固定具２４を回動することにより、係止板部３３すなわち遊技盤２が第一誘導突部２５に押され遊技盤取付枠５の後側へ押出されることになるので、その遊技盤２が取り外し易く遊技盤２の交換作業も容易に行なえることになる。また、雌雄型コネクタ２３ａ，２３ｂも遊技盤２の回動と共にゆっくり分離されるので、破損することがほとんどない。本発明では本体枠３に対し遊技盤２をその後側から取り付ける場合について説明したが、その前側から取り付ける場合についても本発明が同様に適用できる。また、このときの方が、遊技盤の交換作業が効率良くできる。
【００２８】
本発明では、取付体を遊技盤２、被取付体を本体枠３とした場合を説明したが、他の実施の形態として取付体を球払出し装置４０、被取付体を機構板３４とした場合を図１０、図１１に示す。尚、主要な構成は本発明と同じなので、同一部位は同一符号を付すことにより詳しい説明は省略する。この実施の形態に係る球払出し装置４０は、その装置本体４５の前側に機構板３４の取付面である後面３４ａに取り付けるための取付基板４４が設けられる。また、取付体を球払出し装置４０とし、被取付体を本体枠３としても本発明は適用できる。
【００２９】
前記装置本体４５から上方へ突出した取付基板４４の上部部位４４ａに係止板部３３を有する挿通孔３２が開設され、同じく取付基板４４の前面のやや上部に雄型コネクタ２３ａが一体に設けられている。この雄型コネクタ２３ａの接続口側は、取付基板４４の前側に露出している。一方、球払出し装置４０が取り付けられる機構板３４の取付面である後面３４ａには、所定位置に前記挿通孔３２に挿通する固定具２４が突設され、そのやや下方に前記雄型コネクタ２３ａが接続される雌型コネクタ２３ｂが一体に設けられる。また、機構板３４の後面３４ａであって前記固定具２４の下方に、装置本体４５の取付基板４４の両側下端から下方へ突出する突片４４ａ，４４ａを上から差し込む受止凹溝４６，４６が設けられている。
【００３０】
そして、機構板３４の後面３４ａの取付位置に取付基板４４を対向位置させるようにして球払出し装置４０を配置し、受止凹溝４６，４６に取付基板４４の両側下端の突片４４ａ，４４ａを差し込む。この状態で、取付基板４４の下端部を中心としてその上部を機構板３４の後面３４ａ側へ回動させて接近させる。これにより、挿通孔３２に前記固定具２４が挿通され、挿通孔３２内の係止板部３３が第一誘導突起２５の一番高い頂部２６に当接して停止する。このとき、雄型コネクタ２３ａと雌型コネクタ２３ｂは離れており接触していない。
【００３１】
この状態で、把持板部３０に指を掛け固定具２４を所定方向へ回動させる。以後は本発明で説明した動作と同じ動作となるので、詳しい説明は省略する。この場合も、雌型コネクタ２３ｂに雄型コネクタ２３ａが接続される動作は、前記取付基板４４の係止板部３３が機構板３４の後面３４ａに接近する動作と同じ速度で行なわれ、無理なくゆっくりであってしかも正確である。この他の実施の形態にあっても、球払出し装置４０を取り付ける際に、雌雄型コネクタ２３ａ，２３ｂが破損するといった危険性もなく安全かつ確実に接続できることとなり、その取付作業が容易に支障なく行なえる。
【図面の簡単な説明】
【００３２】
【図１】本発明に係るパチンコ機の正面図。
【図２】同パチンコ機の背面図。
【図３】遊技盤を取り付けた状態の本体枠の背面斜視図。
【図４】遊技盤を取り外した状態の本体枠の背面斜視図。
【図５】遊技盤を取り付けた状態の本体枠の平面断面図。
【図６】固定具部位の分解斜視図。
【図７】（イ）は作用を示す要部の背面図、（ロ）は作用を示す要部の縦断面図。
【図８】（イ）は作用を示す要部の背面図、（ロ）は作用を示す要部の縦断面図。
【図９】（イ）は作用を示す要部の背面図、（ロ）は作用を示す要部の縦断面図。
【図１０】他の実施の形態に係り、機構板と球払出し装置とを分解して示す斜視図。
【図１１】同機構板に球払出し装置を取り付けた状態の縦断面図。
【符号の説明】
【００３３】
２                  取付体（遊技盤）
３                  被取付体（本体枠）
１０                取付体（透明板保持枠）
２３ａ              雄型コネクタ
２３ｂ              雌型コネクタ
２４                固定具
２４ａ              回動軸
２５                第一誘導突部
２５ａ              第一誘導面
２６                頂部
２７                第二誘導突部
２７ａ              第二誘導面
３２                係止透部（挿通孔）
３４                被取付体（機構板）
４０                取付体（球払出し装置）
Ｐ                  遊技機（パチンコ機）
【図１】
0004803804.tif 000002
【図２】
0004803804.tif 000003
【図３】
0004803804.tif 000004
【図４】
0004803804.tif 000005
【図５】
0004803804.tif 000006
【図６】
0004803804.tif 000007
【図７】
0004803804.tif 000008
【図８】
0004803804.tif 000009
【図９】
0004803804.tif 000010
【図１０】
0004803804.tif 000011
【図１１】
0004803804.tif 000012